(57)【要約】【課題】局間テストのテスト時間の短縮を可能とし、また局間テスト実行時に全局の現状運転状態を継続可能とするリング状ネットワークシステムにおける局間テスト実施方法及びシステムを得ること。【解決手段】伝送局１ａの動作を伝送局１ｂを従局とする局間テストの動作モードに変更すると、伝送局１ａが伝送局１ｂに対し局間テストを実行することの通知１０を送信し、伝送局１ｂから受信通知を受けて隣接する局間テスト未実施局１ｆにループバック処理１３を行わせる措置を採る。通知を受けた伝送局１ｂは伝送局１ａに受信通知を送信するとともに、隣接する局間テスト未実施局１ｃにループバック処理１２を行わせる措置を採る。局間テスト未実施局１ｃ〜１ｆのループバック伝送によるデータリンクを維持しつつ伝送局１ｂと伝送局１ｂとの間で局間テストを実行する。【選択図】        図２
2007142501.tif 000002
【特許請求の範囲】
【請求項１】
伝送方向が互いに逆向きである２つのリング状伝送路に複数の伝送局を配置したリング状ネットワークシステムにおける全伝送局のオンライン動作中に、
局間テストを実施する隣接２局のうち一方の伝送局の動作モードを他方の伝送局を相手とする局間テストの動作モードに変更する工程と、
局間テストの動作モードになった前記一方の伝送局が、前記他方の伝送局に対し局間テストを実行することの通知を送信し、前記他方の伝送局から受信通知を受けて自局に隣接する局間テスト未実施局が自局間テスト実行局に対するポートをループバック状態に変更する措置を採るようにする工程と、
通知を受けた前記他方の伝送局が、前記一方の伝送局に前記受信通知を送信するとともに、自局に隣接する局間テスト未実施局が自局間テスト実行局に対するポートをループバック状態に変更する措置を採るようにする工程と
を含むことを特徴とするリング状ネットワークシステムにおける局間テスト実施方法。
【請求項２】
伝送方向が互いに逆向きである２つのリング状伝送路に複数の伝送局を配置したリング状ネットワークシステムにおける全伝送局のオンライン動作中に、
局間テストを実施する隣接２局のうち一方の伝送局の動作モードを他方の伝送局を相手とする局間テストの動作モードに変更する工程と、
局間テストの動作モードになった前記一方の伝送局が、前記他方の伝送局に対し局間テストを実行することの通知を送信し、前記他方の伝送局から受信通知を受けて自局に隣接する局間テスト未実施局に対する自局ポートをループバック状態に変更する工程と、
通知を受けた前記他方の伝送局が、前記一方の伝送局に前記受信通知を送信するとともに、自局に隣接する局間テスト未実施局に対する自局ポートをループバック状態に変更する工程と
を含むことを特徴とするリング状ネットワークシステムにおける局間テスト実施方法。
【請求項３】
伝送方向が互いに逆向きである２つのリング状伝送路に複数の伝送局を配置したリング状ネットワークシステムにおいて、隣接する２局間での局間テストを実行する準備手段として、各伝送局は、
局間テストを実施する相手局を指定して局間テストの動作モードの設定を受けたとき、指定された相手局に対して局間テストを実行することの通知を送信する手段と、
前記通知を送信した相手局から受信通知を受けて自局に隣接する局間テスト未実施局が自局間テスト実行局に対するポートをループバック状態に変更する措置を採るようにする手段と、
前記局間テストを実行することの通知を受信して前記受信通知を送信する際に、自局に隣接する局間テスト未実施局が自局間テスト実行局に対するポートをループバック状態に変更する措置を採るようにする手段と
を備えていることを特徴とするリング状ネットワークシステム。
【請求項４】
伝送方向が互いに逆向きである２つのリング状伝送路に複数の伝送局を配置したリング状ネットワークシステムにおいて、隣接する２局間での局間テストを実行する準備手段として、各伝送局は、
局間テストを実施する相手局を指定して局間テストの動作モードの設定を受けたとき、指定された相手局に対して局間テストを実行することの通知を送信する手段と、
前記通知を送信した相手局から受信通知を受けて自局に隣接する局間テスト未実施局に対する自局ポートをループバック状態に変更する手段と、
前記局間テストを実行することの通知を受信して前記受信通知を送信する際に、自局に隣接する局間テスト未実施局に対する自局ポートをループバック状態に変更する手段と
を備えていることを特徴とするリング状ネットワークシステム。
【発明の詳細な説明】
【技術分野】
【０００１】
この発明は、リング状ネットワークシステムにおける局間テスト実施方法及びリング状ネットワークシステムに関するものである。
【背景技術】
【０００２】
伝送方向が互いに逆向きである２つのリング状伝送路を用いたリング状ネットワークシステムでは、ネットワークのオンライン動作中に、隣接する２局間の伝送路状態を確認するため局間テストを実施することが行われている（例えば特許文献１〜３）。以下、この発明の理解を容易にするため、図１０〜図１３を参照して、従来の局間テスト実施方法について説明する。なお、図１０は、従来の局間テスト実施方法を適用するリング状ネットワークシステムの一例を示す全体構成図である。図１１は、図１０に示すリング状ネットワークシステムにおいて従来の局間テスト実施方法を適用したときのシステム運用状態を説明する図である。図１２は、図１１に示すシステム運用状態を形成する手順を説明するフローチャートである。図１３は、図１１に示すシステム運用状態を形成する局間テスト実施局相互間及びそれに隣接する局間テスト未実施局との間での接続関係を説明する図である。
【０００３】
図１０に示すリング状ネットワークシステムでは、６台の伝送局３０ａ，３０ｂ，３０ｃ，３０ｄ，３０ｅ，３０ｆがネットワークケーブル４を介してリング状に接続されている。６台の伝送局３０ａ〜３０ｆは、それぞれ同様の構成であって、制御装置である例えばプログラマブルコントローラ（以降「ＰＣ」と記す）３１と、ＰＣ３１とネットワークケーブル４との間のインタフェースとして機能するネットワーク機能部（以降「ＮＥＴ」と記す）３２とを備えている。各ＮＥＴ３２は、ネットワークケーブル４との接続ポートとしてＯＵＴ側ポート５ａ，ＩＮ側ポート５ｂを備えている。
【０００４】
ネットワークケーブル４は、図１０では単線で示してあるが、伝送方向が互いに逆向きである２つのリング状伝送路を形成している。一方のリング状伝送路を正ループと称し、他方のリング状伝送路を副ループと称すれば、図１３に示すように、各ＮＥＴ３２が備えるＯＵＴ側ポート５ａには、正ループ送信部ＦＳと副ループ受信部ＲＲとが設けられ、ＩＮ側ポート５ｂには、正ループ受信部ＦＲと副ループ送信部ＲＳとが設けられている。
【０００５】
そして、６ａ，６ｂは、いわゆるパソコンであり、局間テストを実施する場合に各種の設定を行うのに使用する。図１０では、パソコン６ａが伝送局３０ａのＰＣ３１にＵＳＢケーブル７ａを用いて接続され、パソコン６ｂが伝送局３０ｂのＰＣ３１にＵＳＢケーブル７ｂを用いて接続されている。
【０００６】
すなわち、伝送局３０ａを主局とし、伝送局３０ｂを従局として伝送局３０ａと伝送局３０ｂとの間で局間テストを実施する場合は、図１１に示すように、従来では、伝送局３０ａにパソコン６ａを接続して動作設定を局間テスト実行局（主局）に変更し、また伝送局３０ｂにパソコン６ｂを接続して動作設定を局間テスト披実行局（従局）に変更する。局間テスト未実施局である伝送局３０ｃ〜３０ｆでは、伝送局３０ａに隣接する伝送局３０ｆが伝送局３０ａ側ポートにおいて正ループ４ａと副ループ４ｂとを接続するループバック処理３５を行い、伝送局３０ｂに隣接する伝送局３０ｃが伝送局３０ｂ側ポートにおいて正ループ４ａと副ループ４ｂとを接続するループバック処理３６を行うことで、局間テスト実施局を除外したリング状ネットワークを構成し、引き続いてデータリンク実施局となり、通常の通信状態を維持する。
【０００７】
以下、図１２と図１３を参照して、図１１に示すシステム運用状態を形成して局間テストを実施する手順を具体的に説明する。図１２において、リング状ネットワークがデータリンク継続中に、隣接する２局間のケーブル状態を確認するための局間テストを実行する場合、主局となる伝送局３０ａのＰＣ３１にパソコン６ａを接続し、アプリケーションソフトのネットワークパラメータ動作設定を局間テスト実行局（主局）に変更する（Ｓ３００）。同様に、従局となる伝送局３０ｂのＰＣ３１にパソコン６ｂを接続し、アプリケーションソフトのネットワークパラメータ動作設定を局間テスト被実行局（従局）に変更する（Ｓ３０１）。
【０００８】
そして、従局（伝送局３０ｂ）においてネットワークパラメータ動作設定を有効にするために、従局（伝送局３０ｂ）のＮＥＴ３２のリセットスイッチをリセットし、従局（伝送局３０ｂ）を局間テスト被実行局の動作モードに設定する（Ｓ３０２）。
【０００９】
局間テスト被実行局の動作モードに設定された従局（伝送局３０ｂ）は、図１３に示すように、局間テストを実行するため、ＯＵＴ側正ループ送信部ＦＳから局間テスト未実施局（伝送局３０ｃ）のＩＮ側正ループ受信部ＦＲへの通信用信号を止め、擬似的なケーブル断線と同じ状態にし、局間テスト開始を従局（伝送局３０ｂ）に接続している局間テスト未実施局（伝送局３０ｃ）に通知する（Ｓ３０３）。
【００１０】
従局に接続している局間テスト未実施局（伝送局３０ｃ）は、ＩＮ側正ループ受信部ＦＲが通信用信号を認識できないため、ＩＮ側副ループ送信部ＲＳから従局（伝送局３０ｂ）のＯＵＴ側副ループ受信部ＲＲへの通信用信号を停止する（Ｓ３０４）。
【００１１】
そして、従局（伝送局３０ｂ）に接続している局間テスト未実施局（伝送局３０ｃ）では、ＩＮ側の通信用信号が停止したことを受けて、従局（伝送局３０ｂ）と隣接する局（伝送局３０ａ）との間で局間テストが実行されると認識し、ＯＵＴ側において副ループ受信部ＲＲと正ループ送信部ＦＳとをループバック状態３６に切換え、局間テストを実施しない局間の通信を維持する（Ｓ３０５）。
【００１２】
次に、主局（伝送局３０ａ）においてネットワークパラメータ動作設定を有効にするために、主局（伝送局３０ａ）のＮＥＴ３２のリセットスイッチをリセットし、主局（伝送局３０ａ）を局間テスト実行局の動作モードに設定する（Ｓ３０６）。
【００１３】
局間テスト実行局の動作モードに設定された主局（伝送局３０ａ）は、図１３に示すように、局間テストを実行するため、ＩＮ側副ループ送信部ＲＳから局間テスト未実施局（伝送局３０ｆ）のＯＵＴ側副ループ受信部ＲＲへの通信用信号を止め、擬似的なケーブル断線と同じ状態にし、局間テスト開始を主局（伝送局３０ａ）に接続している局間テスト未実施局（伝送局３０ｆ）に通知する（Ｓ３０７）。
【００１４】
主局（伝送局３０ａ）に接続している局間テスト未実施局（伝送局３０ｆ）では、ＯＵＴ側副ループ受信部ＲＲが通信用信号を認識できないため、ＯＵＴ側正ループ送信部ＦＳから主局（伝送局３０ａ）のＯＵＴ側正ループ側受信部ＦＲへの通信用信号を停止する（Ｓ３０８）。
【００１５】
そして、主局（伝送局３０ａ）に接続している局間テスト未実施局（伝送局３０ｆ）では、ＯＵＴ側の通信用信号が停止したことを受けて、主局（伝送局３０ａ）と隣接する局（伝送局３０ｂ）との間で局間テストが実行されると認識し、ＩＮ側の正ループ受信部ＦＲと副ループ送信部ＲＳをループバック状態（図１１：３５）に切換え、局間テストを実施していない局間の通信を維持する（Ｓ３０９）。
【００１６】
主局（伝送局３０ａ）は、ＯＵＴ側正ループ送信部ＦＳから従局（伝送局３０ｂ）のＩＮ側正ループ受信部ＦＲに向けて局間テストフレームＫＴＦを送信する（Ｓ３１０）。従局（伝送局３０ｂ）のＩＮ側正ループ受信部ＦＲは、局間テストフレームＫＴＦを受信すると、ＩＮ側副ループ送信部ＲＳに局間テストフレームＫＴＦを転送３８する（Ｓ３１１）。従局（伝送局３０ｂ）のＩＮ側副ループ送信部ＲＳは、受け取った局間テストフレームＫＴＦを主局（伝送局３０ａ）のＯＵＴ側副ループ受信部ＲＲに向けて送信する（Ｓ３１２）。
【００１７】
主局（伝送局３０ａ）では、ＯＵＴ側正ループ送信部ＦＳから従局（伝送局３０ｂ）のＩＮ側正ループ受信部ＦＲに送信した局間テストフレームＫＴＦと、従局（伝送局３０ｂ）のＩＮ側副ループ送信部ＲＳから主局（伝送局３０ａ）のＯＵＴ側副ループ受信部ＲＲに向けて送信され、実際に主局（伝送局３０ａ）のＯＵＴ側副ループ受信部ＲＲに受信された局間テストフレームＫＴＦとの一致不一致を比較して局間テストの成否を判断する（Ｓ３１３）。
【００１８】
【特許文献１】特開平１−２８８１３５号公報（ローカルエリアネットワークの回線試験方法）
【特許文献２】特開平３−２０１７５０号公報（ループ式通信システムの伝送試験方法）
【特許文献３】特開平８−１６３１６３号公報（端末インタフェースの孤立検出方法とループネットワークシステム）
【発明の開示】
【発明が解決しようとする課題】
【００１９】
しかしながら、従来の局間テスト実施方法では、局間テストを実施すると定めた隣接する２つの伝送局のそれぞれにパソコンを接続し、パソコンのアプリケーションソフトのネットワークパラメータ動作設定を、主局となる伝送局では局間テスト実行局に変更し、従局となる伝送局では局間テスト被実行局に変更し、主局及び従局の動作設定をそれぞれ更新するので、主局及び従局の制御装置ネットワーク機能（ＮＥＴ）のリセットスイッチをそれぞれリセットする必要がある。そのため、局間テストの準備作業が繁雑であり、局間テストを実施する２つの伝送局が相当に離れている場合には、両方のリセットスイッチをリセットするのに時間が掛かるので、テスト実施に時間が掛かるという問題があった。
【００２０】
また、局間テストの実施中は、局間テスト実行局に隣接する局間テスト未実施局がループバックするので、局間テスト実行局はデータリンクを継続できず、全局の現状運転状態を継続することが不可能になるという問題もあった。
【００２１】
この発明は、上記に鑑みてなされたものであり、局間テストのテスト時間の短縮が可能なリング状ネットワークシステムにおける局間テスト実施方法及びシステムを得ることを目的とする。
【００２２】
また、この発明は、局間テスト実行局がデータリンクを継続しつつ局間テストを実行することを可能とするリング状ネットワークシステムにおける局間テスト実施方法及びシステムを得ることを目的とする。
【課題を解決するための手段】
【００２３】
上述した目的を達成するために、この発明にかかるリング状ネットワークシステムにおける局間テスト実施方法は、伝送方向が互いに逆向きである２つのリング状伝送路に複数の伝送局を配置したリング状ネットワークシステムにおける全伝送局のオンライン動作中に、局間テストを実施する隣接２局のうち一方の伝送局の動作モードを他方の伝送局を相手局とする局間テストの動作モードに変更する工程と、局間テストの動作モードになった前記一方の伝送局が、前記他方の伝送局に対し局間テストを実行することの通知を送信し、前記他方の伝送局から受信通知を受けて自局に隣接する局間テスト未実施局が自局間テスト実行局に対するポートをループバック状態に変更する措置を採るようにする工程と、通知を受けた前記他方の伝送局が、前記一方の伝送局に前記受信通知を送信するとともに、自局に隣接する局間テスト未実施局が自局間テスト実行局に対するポートをループバック状態に変更する措置を採るようにする工程とを含むことを特徴とする。
【００２４】
この発明によれば、局間テスト未実施局が局間テスト実行局を除外するループバック伝送によって現状の運転状態を維持する局間テスト実行時のシステム形態は、従来例と同じであるが、局間テストを実施する隣接２局のうち一方の伝送局（例えば主局となる伝送局）のみで局間テストの動作モード設定を行うだけで、局間テストを実行でき、他方の伝送局（今の例では従局となる伝送局）での動作設定の変更やリセット処理の必要がない。したがって、従局の動作設定の変更やリセットする時間分だけテスト準備の時間短縮が可能となる。
【発明の効果】
【００２５】
この発明によれば、局間テストのテスト時間の短縮が可能となるという効果を奏する。
【発明を実施するための最良の形態】
【００２６】
以下に図面を参照して、この発明にかかるリング状ネットワークシステムにおける局間テスト実施方法及びシステムの好適な実施の形態を詳細に説明する。
【００２７】
実施の形態１．
図１は、この発明にかかる局間テスト実施方法を適用するリング状ネットワークシステムの一例を示す全体構成図である。図１に示すリング状ネットワークシステムでは、６台の伝送局１ａ，１ｂ，１ｃ，１ｄ，１ｅ，１ｆがネットワークケーブル４を介してリング状に接続されている。６台の伝送局１ａ〜１ｆは、従来例（図１０）で示した伝送局に若干の機能変更を施してあるが、それぞれ同様の構成であって、制御装置である例えばプログラマブルコントローラ（以降「ＰＣ」と記す）２と、ＰＣ２とネットワークケーブル４との間のインタフェースとして機能するネットワーク機能部（以降「ＮＥＴ」と記す）３とを備えている。各ＮＥＴ３は、ネットワークケーブル４との接続ポートとしてＯＵＴ側ポート５ａ，ＩＮ側ポート５ｂを備えている。
【００２８】
ネットワークケーブル４は、図１では単線で示してあるが、伝送方向が互いに逆向きである２つのリング状伝送路を形成している。一方のリング状伝送路を正ループと称し、他方を副ループと称すれば、図４や図５に示すように、各ＮＥＴ３が備えるＯＵＴ側ポート５ａには、正ループ送信部ＦＳと副ループ受信部ＲＲとが設けられ、ＩＮ側ポート５ｂには、正ループ受信部ＦＲと副ループ送信部ＲＳとが設けられている。
【００２９】
そして、６は、いわゆるパソコンであり、局間テストを実施する場合に各種の設定を行うのに使用する。図１では、パソコン６が伝送局１ａのＰＣ２にＵＳＢケーブル７を用いて接続されている。すなわち、図１では、伝送局１ａが主局となり、伝送局１ｂが従局となって局間テストを実施する点は従来例（図１０）と同じであるが、パソコンは主局の１局のみに接続される点が従来例（図１０）と異なる。
【００３０】
図２は、図１に示すリング状ネットワークシステムにおいてこの発明の実施の形態１による局間テスト実施方法を適用したときのシステム運用状態を説明する図である。図２に示すように、伝送局１ａを主局とし、伝送局１ｂを従局として伝送局１ａと伝送局１ｂとの間で局間テストを実施する場合は、この実施の形態１では、主局となる伝送局１ａにパソコン６を接続して動作設定を局間テストに変更すると、主局（伝送局１ａ）から伝送局１ｂに対して局間テスト実施の通知１０が送信される。伝送局１ｂは、通知１０を受信すると、主局（伝送局１ａ）に受信通知を送信し、局間テスト実行の準備処理（ループバック処理１２を行わせる処理）を行う。同様に、主局（伝送局１ａ）は、伝送局１ｂから受信通知を受け取ると、局間テスト実行の準備処理（ループバック処理１３を行わせる処理）を行う。その後、局間テスト実施局１ａ，１ｂでの局間テストに移行する。
【００３１】
すなわち、局間テスト未実施局である伝送局１ｃ〜１ｆでは、伝送局１ａに隣接する伝送局１ｆが伝送局１ａ側のポートにおける正ループ４ａと副ループ４ｂとを接続するループバック処理１３を行い、伝送局１ｂに隣接する伝送局１ｃが伝送局１ｂ側のポートにおいて正ループ４ａと副ループ４ｂとを接続するループバック処理１２を行うことで、局間テスト実施局１ａ，１ｂを除外したリング状ネットワークを構成し、引き続いてデータリンク実施局となり、通常の通信状態を維持する。
【００３２】
以下、図３〜図５を参照して、図２に示すシステム運用状態を形成して局間テストを実施する手順を具体的に説明する。なお、図３は、図２に示すシステム運用状態を形成して局間テストを実施する手順を説明するフローチャートである。図４は、図２に示すシステム運用状態を形成する第１段階（局間テスト準備フレーム送信時）での局間テスト実施局相互間及びそれに隣接する局間テスト未実施局との間での接続関係を説明する図である。図５は、図２に示すシステム運用状態を形成する第２段階（局間テストフレーム送信時）での局間テスト実施局相互間及びそれに隣接する局間テスト未実施局との間での接続関係を説明する図である。
【００３３】
図３において、リング状ネットワークがデータリンク継続中に、隣接する２局間のケーブル状態を確認するための局間テストを実行する場合、局間テストを実行する２局のうち主局となる伝送局１ａのＰＣ２にパソコン６を接続してアプリケーションソフトのネットワークパラメータ動作設定を局間テストに設定し、伝送局１ａのＮＥＴ３のリセットスイッチをリセットして、伝送局１ａの動作モードを、伝送局１ｂを従局とする局間テストの動作モードに変更する（Ｓ１００）。
【００３４】
主局（伝送局１ａ）では、リセット処理を受けると、図４に示すように、伝送局１ｂを従局として局間テストを実行することを通知１０（図２参照）するため、ＯＵＴ側の正ループ送信部ＦＳから従局となる伝送局１ｂのＩＮ側正ループ受信部ＦＲに向けて局間テスト準備フレームＫＴＪＦを送信する（Ｓ１０１）。
【００３５】
そして、主局（伝送局１ａ）では、従局（伝送局１ｂ）から局間テスト準備フレームＫＴＪＦの受信通知を受け取ると、ＩＮ側の副ループ送信部ＲＳから局間テスト未実施局（伝送局１ｆ）のＩＮ側副ループ受信部ＲＲへの通信用信号を止め、擬似的なケーブル断線と同じ状態にして、局間テスト開始を主局（伝送局１ａ）に接続している局間テスト未実施局（伝送局１ｆ）に通知する（Ｓ１０２）。
【００３６】
主局（伝送局１ａ）に接続している局間テスト未実施局（伝送局１ｆ）は、ＯＵＴ側の副ループ受信部ＲＲが通信用信号を認識できないため、ＯＵＴ側の正ループ送信部ＦＳから主局（伝送局１ａ）のＩＮ側正ループ受信部ＦＲへの通信用信号を停止する（Ｓ１０３）。
【００３７】
そして、主局（伝送局１ａ）に接続している局間テスト未実施局（伝送局１ｆ）では、ＯＵＴ側の通信用信号が停止したことを受けて、主局（伝送局１ａ）と隣接する局（伝送局１ｂ）との間で局間テストが実行されると認識し、ＩＮ側において正ループ受信部ＦＲと副ループ送信部ＲＳとをループバック状態１３に切換え、局間テストを実施しない局間の通信を維持する（Ｓ１０４）。
【００３８】
一方、従局（伝送局１ｂ）では、ＩＮ側の正ループ受信部ＦＲが局間テスト準備フレームＫＴＪＦを受信すると、ＩＮ側において正ループ受信部ＦＲが受信した局間テスト準備フレームＫＴＪＦを副ループ側送信部ＲＳに転送１４ａし、主局（伝送局１ａ）のＯＵＴ側副ループ側受信部ＲＲに向けて送信し、局間テスト実行の準備処理を行う。すなわち、伝送局１ｂは、図４に示すように、ＯＵＴ側の正ループ送信部ＦＳから隣接する局間テスト未実施局（伝送局１ｃ）のＩＮ側正ループ受信部ＦＲへの通信用信号を止め、擬似的なケーブル断線と同じ状態にし、局間テスト開始を従局（伝送局１ｂ）に接続している局間テスト未実施局（伝送局１ｃ）に通知する（Ｓ１０５）。
【００３９】
従局（伝送局１ｂ）に接続している局間テスト未実施局（伝送局１ｃ）は、ＩＮ側の正ループ受信部ＦＲが通信用信号を認識できないため、ＩＮ側副ループ送信部ＲＳから従局（伝送局１ｂ）のＯＵＴ側副ループ受信部ＲＲへの通信用信号を停止する（Ｓ１０６）。
【００４０】
そして、従局（伝送局１ｂ）に接続している局間テスト未実施局（伝送局１ｃ）では、ＩＮ側の通信信号が停止したことを受けて、従局（伝送局１ｂ）と隣接する局（伝送局１ａ）との間で局間テストが実行されると認識し、ＯＵＴ側において副ループ受信部ＲＲと正ループ送信部ＦＳとをループバック状態１２に切換え、局間テストを実施しない局間での通信を維持する（Ｓ１０７）。
【００４１】
次に、主局（伝送局１ａ）は、局間テストの準備処理を終了すると、図５に示すようにＯＵＴ側の正ループ送信部ＦＳから従局（伝送局１ｂ）のＩＮ側正ループ受信部ＦＲに向けて局間テストフレームＫＴＦを送信する（Ｓ１０８）。従局（伝送局１ｂ）のＩＮ側正ループ受信部ＦＲは、局間テストフレームＫＴＦを受信すると、ＩＮ側副ループ送信部ＲＳに局間テストフレームＫＴＦを転送１４ｂする（Ｓ１０９）。従局（伝送局１ｂ）のＩＮ側副ループ送信部ＲＳは、受け取った局間テストフレームＫＴＦを主局（伝送局１ａ）のＯＵＴ側副ループ受信部ＲＲに向けて送信する（Ｓ１１０）。
【００４２】
主局（伝送局１ａ）では、ＯＵＴ側正ループ送信部ＦＳから従局（伝送局１ｂ）のＩＮ側正ループ受信部ＦＲに送信した局間テストフレームＫＴＦと、従局（伝送局１ｂ）のＩＮ側副ループ送信部ＲＳから主局（伝送局１ａ）のＯＵＴ側副ループ受信部ＲＲに向けて送信され、実際に主局（伝送局１ａ）のＯＵＴ側副ループ受信部ＲＲに受信された局間テストフレームＫＴＦとの一致不一致を比較し局間テストの成否を判断する（Ｓ１１１）。
【００４３】
このように、実施の形態１によれば、隣りあう任意の２局間で局間テストを実行する場合、主局での動作設定のみで局間テストが実行でき、従局での動作設定の変更やリセット処理の必要がないので、従局の動作設定の変更やリセットする時間分だけテスト準備の時間短縮が可能となり、テスト時間短縮の効果がある。
【００４４】
実施の形態２．
図６は、図１に示すリング状ネットワークシステムにおいてこの発明の実施の形態２による局間テスト実施方法を適用したときのシステム運用状態を説明する図である。図６に示すように、この実施の形態２では、局間テストを実行する２局に隣接する局間テスト未実施局１ｃ，１ｆがループバック処理（図２：符号１２，１３）を行うのではなく、局間テスト実行局１ａ，１ｂがループバック処理１５，１６を行うようになっている。
【００４５】
以下、図７〜図９を参照して、図６に示すシステム運用状態を形成して局間テストを実施する手順を具体的に説明する。なお、図７は、図６に示すシステム運用状態を形成して局間テストを実施する手順を説明するフローチャートである。図８は、図６に示すシステム運用状態を形成する第１段階（局間テスト準備フレーム送信時）での局間テスト実施局相互間及びそれに隣接する局間テスト未実施局との間での接続関係を説明する図である。図９は、図６に示すシステム運用状態を形成する第２段階（局間テストフレーム送信時）での局間テスト実施局相互間及びそれに隣接する局間テスト未実施局との間での接続関係を説明する図である。
【００４６】
図７において、リング状ネットワークがデータリンク継続中に、隣接する２局間のケーブル状態を確認するための局間テストを実行する場合、局間テストを実行する２局のうち主局となる伝送局１ａのＰＣ２にパソコン６を接続してアプリケーションソフトのネットワークパラメータ動作設定を局間テストに設定し、伝送局１ａのＮＥＴ３のリセットスイッチをリセットして、伝送局１ａの動作モードを、伝送局１ｂを従局とする局間テストの動作モードに変更する（Ｓ２００）。
【００４７】
主局（伝送局１ａ）では、リセット処理を受けると、図８に示すように、伝送局１ｂを従局として局間テストを実行することを通知１０（図６参照）するため、ＯＵＴ側の正ループ送信部ＦＳから従局となる伝送局１ｂのＩＮ側正ループ受信部ＦＲに向けて局間テスト準備フレームＫＴＪＦを送信する（Ｓ２０１）。
【００４８】
そして、主局（伝送局１ａ）では、従局（伝送局１ｂ）から局間テスト準備フレームＫＴＪＦの受信通知を受け取ると、ＩＮ側の副ループ送信部ＲＳと正ループ受信部ＦＲとをループバック状態１５に切換え、全局の現状運転状態を継続する（Ｓ２０２）。
【００４９】
一方、従局（伝送局１ｂ）では、ＩＮ側の正ループ受信部ＦＲが局間テスト準備フレームＫＴＪＦを受信すると、ＩＮ側において正ループ受信部ＦＲが受信した局間テスト準備フレームＫＴＪＦを副ループ側送信部ＲＳに転送１４ａし、主局（伝送局１ａ）のＯＵＴ側副ループ側受信部ＲＲに向けて送信し、局間テスト実行の準備処理を行う。すなわち、従局（伝送局１ｂ）は、図８に示すように、ＯＵＴ側の副ループ受信部ＲＲと正ループ送信部ＦＳとをループバック状態１６に切換え、全局の現状運転を継続する（Ｓ２０３）。
【００５０】
次に、主局（伝送局１ａ）は、局間テストの準備処理を終了すると、図９に示すようにＯＵＴ側の正ループ送信部ＦＳから従局（伝送局１ｂ）のＩＮ側正ループ受信部ＦＲに向けて局間テストフレームＫＴＦを送信する（Ｓ２０４）。従局（伝送局１ｂ）のＩＮ側正ループ受信部ＦＲは、局間テストフレームＫＴＦを受信すると、ＩＮ側副ループ送信部ＲＳに局間テストフレームＫＴＦを転送１４する（Ｓ２０５）。従局（伝送局１ｂ）のＩＮ側副ループ送信部ＲＳは、受け取った局間テストフレームＫＴＦを主局（伝送局１ａ）のＯＵＴ側副ループ受信部ＲＲに向けて送信する（Ｓ２０６）。
【００５１】
主局（伝送局１ａ）では、ＯＵＴ側正ループ送信部ＦＳから従局（伝送局１ｂ）のＩＮ側正ループ受信部ＦＲに送信した局間テストフレームＫＴＦと、従局（伝送局１ｂ）のＩＮ側副ループ送信部ＲＳから主局（伝送局１ａ）のＯＵＴ側副ループ受信部ＲＲに向けて送信され、実際に主局（伝送局１ａ）のＯＵＴ側副ループ受信部ＲＲに受信された局間テストフレームＫＴＦとの一致不一致を比較し局間テストの成否を判断する（Ｓ２０７）。
【００５２】
このように、実施の形態２によれば、実施の形態１の効果に加えて、局間テスト実行時において、局間テスト実行局は、局間テストを実行するポートと反対側のポートにてループバック処理を行うので、データリンクを継続しつつ局間テストを実行することができ、全局の現状運転状態を継続可能とする効果がある。
【産業上の利用可能性】
【００５３】
以上のように、この発明にかかるリング状ネットワークシステムにおける局間テスト実施方法及びシステムは、局間テストのテスト時間を短縮するのに有用である。
【００５４】
また、この発明にかかるリング状ネットワークシステムにおける局間テスト実施方法及びシステムは、局間テスト実行時に全局の現状運転状態の継続を可能とするのに有用である。
【図面の簡単な説明】
【００５５】
【図１】この発明にかかる局間テスト実施方法を適用するリング状ネットワークシステムの一例を示す全体構成図である。
【図２】図１に示すリング状ネットワークシステムにおいてこの発明の実施の形態１による局間テスト実施方法を適用したときのシステム運用状態を説明する図である。
【図３】図２に示すシステム運用状態を形成して局間テストを実施する手順を説明するフローチャートである。
【図４】図２に示すシステム運用状態を形成する第１段階（局間テスト準備フレーム送信時）での局間テスト実施局相互間及びそれに隣接する局間テスト未実施局との間での接続関係を説明する図である。
【図５】図２に示すシステム運用状態を形成する第２段階（局間テストフレーム送信時）での局間テスト実施局相互間及びそれに隣接する局間テスト未実施局との間での接続関係を説明する図である。
【図６】図１に示すリング状ネットワークシステムにおいてこの発明の実施の形態２による局間テスト実施方法を適用したときのシステム運用状態を説明する図である。
【図７】図６に示すシステム運用状態を形成して局間テストを実施する手順を説明するフローチャートである。
【図８】図６に示すシステム運用状態を形成する第１段階（局間テスト準備フレーム送信時）での局間テスト実施局相互間及びそれに隣接する局間テスト未実施局との間での接続関係を説明する図である。
【図９】図６に示すシステム運用状態を形成する第２段階（局間テストフレーム送信時）での局間テスト実施局相互間及びそれに隣接する局間テスト未実施局との間での接続関係を説明する図である。
【図１０】従来の局間テスト実施方法を適用するリング状ネットワークシステムの一例を示す全体構成図である。
【図１１】図１０に示すリング状ネットワークシステムにおいて従来の局間テスト実施方法を適用したときのシステム運用状態を説明する図である。
【図１２】図１１に示すシステム運用状態を形成して局間テストを実施する手順を説明するフローチャートである。
【図１３】図１１に示すシステム運用状態を形成する局間テスト実施局相互間及びそれに隣接する局間テスト未実施局との間での接続関係を説明する図である。
【符号の説明】
【００５６】
１ａ，１ｂ，１ｃ，１ｄ，１ｅ，１ｆ  伝送局
２  プログラマブルコントローラ（ＰＣ）
３  ネットワーク機能部（ＮＥＴ）
４  ネットワークケーブル
４ａ  ネットワークケーブル（正ループ）
４ｂ  ネットワークケーブル（副ループ）
５ａ  ＯＵＴ側ポート
５ｂ  ＩＮ側ポート
６  パソコン
７  ＵＳＢケーブル
ＦＳ  正ループ送信部
ＦＲ  正ループ側受信部
ＲＳ  副ループ送信部
ＲＲ  副ループ受信部
ＫＴＪＦ  局間テスト準備フレーム
ＫＴＦ  局間テストフレーム
【図１】
2007142501.tif 000003
【図２】
2007142501.tif 000004
【図３】
2007142501.tif 000005
【図４】
2007142501.tif 000006
【図５】
2007142501.tif 000007
【図６】
2007142501.tif 000008
【図７】
2007142501.tif 000009
【図８】
2007142501.tif 000010
【図９】
2007142501.tif 000011
【図１０】
2007142501.tif 000012
【図１１】
2007142501.tif 000013
【図１２】
2007142501.tif 000014
【図１３】
2007142501.tif 000015